(57)【要約】【課題】移動する対象物に関する情報をユーザに提供できる情報提供装置、携帯端末、情報提供システム、情報提供方法、及び情報提供プログラムを提供する。【解決手段】携帯端末３は、表示部２７とカメラとを備えている。表示部２７には、カメラによって撮影された撮影画像が表示される。表示部２７には、携帯端末を携帯するユーザのユーザ画像９が含まれている。ユーザ画像９には、ユーザの個人情報を示す個人情報画像１０が重ねて表示されている。携帯端末３は、サーバから送信される位置情報に基づいて、撮影画像に重ねて表示する個人情報画像の位置を特定できる。ユーザ画像が移動した場合、サーバから送信される位置情報も移動する。携帯端末３は、移動するユーザ画像に個人情報画像を追従させて表示させることができる。【選択図】図２
2011199800.tif 000002
【特許請求の範囲】
【請求項１】
入力手段によって入力されたユーザの個人情報を取得する情報取得手段と、
前記情報取得手段によって取得された前記個人情報に対応するユーザの位置を示す位置情報を取得する位置取得手段と、
前記情報取得手段によって取得された前記個人情報、及び、前記位置取得手段において取得された前記位置情報を、前記ユーザ毎に関連付けて記憶手段に記憶する記憶制御手段と、
前記ユーザの携帯する携帯端末が備える撮影手段である第一撮影手段によって撮影可能な撮影方向を取得する方向取得手段と、
前記記憶手段に記憶された情報を参照し、前記携帯端末を携帯する前記ユーザの前記位置情報を抽出する位置抽出手段と、
前記位置抽出手段において抽出された前記位置情報と、前記方向取得手段において取得された前記撮影方向とに基づいて、前記携帯端末の前記第一撮影手段によって撮影可能な領域を特定する領域特定手段と、
前記領域特定手段において特定された撮影可能な領域内に含まれる前記位置情報を、前記記憶手段に記憶された前記位置情報から選択する位置選択手段と、
前記位置選択手段において選択された前記位置情報に関連付けられた前記個人情報を特定する情報特定手段と、
前記位置選択手段において選択された前記位置情報、及び、前記情報特定手段によって特定された前記個人情報を、前記携帯端末に対して送信する情報送信手段と
を備えたことを特徴とする情報提供装置。
【請求項２】
前記ユーザを撮影可能な第二撮影手段によって撮影された前記ユーザの撮影画像を取得する画像取得手段を備え、
前記位置取得手段は、
前記画像取得手段によって取得された前記撮影画像に基づいて、前記ユーザの前記位置情報を取得することを特徴とする請求項１に記載の情報提供装置。
【請求項３】
前記画像取得手段は、
前記情報取得手段において前記個人情報が最初に取得された場合に、前記第二撮影手段によって撮影された前記撮影画像の取得を開始することを特徴とする請求項２に記載の情報提供装置。
【請求項４】
前記位置取得手段は、
前記情報取得手段において前記個人情報が取得された時点で所定領域内に存在するユーザの前記位置情報を、前記個人情報を入力したユーザの前記位置情報として取得することを特徴とする請求項２又は３に記載の情報提供装置。
【請求項５】
前記位置取得手段は、
所定時間継続して所定領域内に存在するユーザの前記位置情報を、前記個人情報を入力したユーザの前記位置情報として取得することを特徴とする請求項２から４のいずれかに記載の情報提供装置。
【請求項６】
前記携帯端末から送信され、前記撮影方向を特定可能な情報を受信する第一受信手段を備え、
前記方向取得手段は、
前記第一受信手段によって受信された情報に基づいて前記撮影方向を特定することで、前記撮影方向を取得することを特徴とする請求項１から５のいずれかに記載の情報提供装置。
【請求項７】
前記画像取得手段は、
前記携帯端末に付された識別部であって前記撮影方向を特定可能な識別部が、前記第二撮影手段によって撮影された場合の前記撮影画像を取得し、
前記方向取得手段は、
前記識別部が撮影された前記撮影画像を解析することによって、前記撮影方向を取得することを特徴とする請求項２から５のいずれかに記載の情報提供装置。
【請求項８】
前記携帯端末から送信される前記個人情報を受信する第二受信手段を備え、
前記位置抽出手段は、
前記記憶手段に記憶された情報を参照し、前記第二受信手段において受信された前記個人情報に関連付けられた前記位置情報を、前記携帯端末を携帯するユーザの前記位置情報として抽出することを特徴とする請求項１から７のいずれかに記載の情報提供装置。
【請求項９】
請求項１から８のいずれかに記載の情報提供装置から情報を受信して表示手段に表示する携帯端末であって、
前記情報提供装置から送信される前記位置情報及び前記個人情報を受信する情報受信手段と、
像を撮影可能な撮影手段である前記第一撮影手段と、
前記第一撮影手段によって撮影された撮影画像のうち、前記情報受信手段によって受信された前記位置情報に相当する部分を特定する部分特定手段と、
前記部分特定手段において特定された部分に、前記情報受信手段によって受信された前記個人情報を重ね、表示手段に表示する表示制御手段と
を備えたことを特徴とする携帯端末。
【請求項１０】
前記位置情報及び前記個人情報の送信を要求する要求パケットを、前記情報提供装置に対して送信する要求送信手段を備え、
前記情報受信手段は、
前記要求パケットに応じて前記情報提供装置から送信される前記個人情報及び前記位置情報を受信することを特徴とする請求項９に記載の携帯端末。
【請求項１１】
携帯端末、及び、前記携帯端末に情報を提供する情報提供装置を備えた情報提供システムであって、
前記情報提供装置は、
入力手段によって入力されたユーザの個人情報を取得する情報取得手段と、
前記情報取得手段によって取得された前記個人情報に対応するユーザの位置を示す位置情報を取得する位置取得手段と、
前記情報取得手段によって取得された前記個人情報、及び、前記位置取得手段において取得された前記位置情報を、前記ユーザ毎に関連付けて記憶手段に記憶する記憶制御手段と、
前記ユーザの携帯する携帯端末が備える撮影手段である第一撮影手段によって撮影可能な撮影方向を取得する方向取得手段と、
前記記憶手段に記憶された情報を参照し、前記携帯端末を携帯する前記ユーザの前記位置情報を抽出する位置抽出手段と、
前記位置抽出手段において抽出された前記位置情報と、前記方向取得手段において取得された前記撮影方向とに基づいて、前記携帯端末の前記第一撮影手段によって撮影可能な領域を特定する領域特定手段と、
前記領域特定手段において特定された撮影可能な領域内に含まれる前記位置情報を、前記記憶手段に記憶された前記位置情報に基づいて選択する位置選択定手段と、
前記位置選択手段において選択された前記位置情報に関連付けられた前記個人情報を特定する情報特定手段と、
前記位置選択手段において選択された前記位置情報、及び、前記情報特定手段によって特定された前記個人情報を、前記携帯端末に対して送信する情報送信手段と
を備え、
前記携帯端末は、
前記情報提供装置から送信される前記位置情報及び前記個人情報を受信する情報受信手段と、
像を撮影可能な撮影手段である前記第一撮影手段と、
前記第一撮影手段によって撮影された撮影画像のうち、前記情報受信手段によって受信された前記位置情報に相当する部分を特定する部分特定手段と、
前記部分特定手段において特定された部分に、前記情報受信手段によって受信された前記個人情報を重ね、表示手段に表示する表示制御手段と
を備えたことを特徴とする情報提供システム。
【請求項１２】
入力手段によって入力されたユーザの個人情報を取得する情報取得ステップと、
前記情報取得ステップによって取得された前記個人情報に対応するユーザの位置を示す位置情報を取得する位置取得ステップと、
前記情報取得ステップによって取得された前記個人情報、及び、前記位置取得ステップにおいて取得された前記位置情報を、前記ユーザ毎に関連付けて記憶手段に記憶する記憶制御ステップと、
前記ユーザの携帯する携帯端末が備える撮影手段である第一撮影手段によって撮影可能な撮影方向を取得する方向取得ステップと、
前記記憶手段に記憶された情報を参照し、前記携帯端末を携帯する前記ユーザの前記位置情報を抽出する位置抽出ステップと、
前記位置抽出ステップにおいて抽出された前記位置情報と、前記方向取得ステップにおいて取得された前記撮影方向とに基づいて、前記携帯端末の前記第一撮影手段によって撮影可能な領域を特定する領域特定ステップと、
前記領域特定ステップにおいて特定された撮影可能な領域内に含まれる前記位置情報を、前記記憶手段に記憶された前記位置情報に基づいて選択する位置選択ステップと、
前記位置選択ステップにおいて選択された前記位置情報に関連付けられた前記個人情報を特定する情報特定ステップと、
前記位置選択ステップにおいて選択された前記位置情報、及び、前記情報特定ステップによって特定された前記個人情報を、前記携帯端末に対して送信する情報送信ステップと
を備えたことを特徴とする情報提供方法。
【請求項１３】
請求項１から８のいずれかに記載の情報提供装置の各処理手段としてコンピュータを機能させるための情報提供プログラム。
【発明の詳細な説明】
【技術分野】
【０００１】
本発明は、情報提供装置、携帯端末、情報提供システム、情報提供方法、及び情報提供プログラムに関する。より詳細には、携帯端末に表示される情報を提供する情報提供装置、携帯端末、情報提供システム、情報提供方法、及び情報提供プログラムに関する。
【背景技術】
【０００２】
従来、携帯通信端末を携行するユーザが周辺地域の情報を把握できる情報提供システムが提案されている（例えば、特許文献１参照）。該情報提供システムでは、携帯通信端末を携行するユーザの現在位置と進行方向とが、中央情報処理装置において特定される。ユーザの周辺に存在する施設に関する情報（周辺地域情報）が、中央情報処理装置から携帯通信端末に対して送信される。携帯通信端末は、中央情報処理装置から受信した情報をディスプレイに表示する。携帯通信端末のユーザは、自身の現在位置及び進行方向に適した周辺地域情報を、ディスプレイを視認することで容易に把握できる。
【先行技術文献】
【特許文献】
【０００３】
【特許文献１】特開２００３−１９９１４０号公報
【発明の概要】
【発明が解決しようとする課題】
【０００４】
しかしながら上述の情報提供システムでは、周辺施設に関する情報は携帯通信端末のディスプレイに表示されるものの、ユーザの周辺を移動する対象物に関する情報はディスプレイに表示されない。このためユーザは、移動する対象物に関する情報を把握できないという問題点がある。
【０００５】
本発明の目的は、移動する対象物に関する情報をユーザに提供できる情報提供装置、携帯端末、情報提供システム、情報提供方法、及び情報提供プログラムを提供することにある。
【課題を解決するための手段】
【０００６】
本発明の第一態様に係る情報提供装置は、入力手段によって入力されたユーザの個人情報を取得する情報取得手段と、前記情報取得手段によって取得された前記個人情報に対応するユーザの位置を示す位置情報を取得する位置取得手段と、前記情報取得手段によって取得された前記個人情報、及び、前記位置取得手段において取得された前記位置情報を、前記ユーザ毎に関連付けて記憶手段に記憶する記憶制御手段と、前記ユーザの携帯する携帯端末が備える撮影手段である第一撮影手段によって撮影可能な撮影方向を取得する方向取得手段と、前記記憶手段に記憶された情報を参照し、前記携帯端末を携帯する前記ユーザの前記位置情報を抽出する位置抽出手段と、前記位置抽出手段において抽出された前記位置情報と、前記方向取得手段において取得された前記撮影方向とに基づいて、前記携帯端末の前記第一撮影手段によって撮影可能な領域を特定する領域特定手段と、前記領域特定手段において特定された撮影可能な領域内に含まれる前記位置情報を、前記記憶手段に記憶された前記位置情報から選択する位置選択手段と、前記位置選択手段において選択された前記位置情報に関連付けられた前記個人情報を特定する情報特定手段と、前記位置選択手段において選択された前記位置情報、及び、前記情報特定手段によって特定された前記個人情報を、前記携帯端末に対して送信する情報送信手段とを備えている。
【０００７】
本発明の第一態様によれば、情報提供装置は、携帯端末の第一撮影手段によって撮影可能な領域を特定する。情報提供装置は、撮影可能な領域内に他のユーザ（他ユーザ）が存在するか判断する。領域内に他ユーザが存在する場合、該当する他ユーザの個人情報及び位置情報を携帯端末に対して送信する。携帯端末は、撮影画像のうち位置情報に相当する部位に、個人情報を対応付けて表示する。これによって、携帯端末のユーザに対して、個人情報と他ユーザとを対応付けて認識させることができる。記憶手段に記憶される位置情報は、位置取得手段によって取得され更新されるので、情報提供装置は、情報を付加する対象物が移動する場合であっても、正確な位置情報を関連情報（個人情報）とともに携帯端末に対して送信し、これらを関連付けてユーザに提供できる。
【０００８】
また、第一態様において、前記ユーザを撮影可能な第二撮影手段によって撮影された前記ユーザの撮影画像を取得する画像取得手段を備え、前記位置取得手段は、前記画像取得手段によって取得された前記撮影画像に基づいて、前記ユーザの前記位置情報を取得してもよい。情報提供装置は、第二撮影手段によって撮影された撮影画像を画像処理することで、ユーザの位置情報を特定できる。情報提供装置は、ＧＰＳ等の大規模な装置を使用することなく、簡易な方法で容易にユーザの位置情報を特定できる。
【０００９】
また、第一態様において、前記画像取得手段は、前記情報取得手段において前記個人情報が最初に取得された場合に、前記第二撮影手段によって撮影された前記撮影画像の取得を開始してもよい。これによって情報提供装置は、個人情報を受け付けていない状態では、第二撮影手段からの撮影画像の取得を停止できる。情報提供装置は、撮影画像が必要な状態で確実に撮影画像を取得し、ユーザの位置を特定できる。
【００１０】
また、第一態様において、前記位置取得手段は、前記情報取得手段において前記個人情報が取得された時点で所定領域内に存在するユーザの前記位置情報を、前記個人情報を入力したユーザの前記位置情報として取得してもよい。これによって情報提供装置は、個人情報を入力したユーザを容易に特定し、位置情報を取得できる。例えば、ユーザが個人情報を入力する入力装置の近傍領域を所定領域とすることによって、情報提供装置は、個人情報を入力したユーザを確実に特定できる。
【００１１】
また、第一態様において、前記位置取得手段は、所定時間継続して所定領域内に存在するユーザの前記位置情報を、前記個人情報を入力したユーザの前記位置情報として取得してもよい。これによって情報提供装置は、個人情報を入力したユーザを正確に特定し、位置情報を取得できる。所定領域内を偶然通過した者の位置情報を、個人情報を入力したユーザの位置情報として取得してしまうことを防止できる。
【００１２】
また、第一態様において、前記携帯端末から送信され、前記撮影方向を特定可能な情報を受信する第一受信手段を備え、前記方向取得手段は、前記第一受信手段によって受信された情報に基づいて前記撮影方向を特定することで、前記撮影方向を取得してもよい。これによって情報提供装置は、容易に撮影方向を取得できる。例えば、携帯端末に電子コンパスを設けることで、情報提供装置は、撮影方向を高い精度で取得できる。
【００１３】
また、第一態様において、前記画像取得手段は、前記携帯端末に付された識別部であって前記撮影方向を特定可能な識別部が、前記第二撮影手段によって撮影された場合の前記撮影画像を取得し、前記方向取得手段は、前記識別部が撮影された前記撮影画像を解析することによって、前記撮影方向を取得してもよい。これによって情報提供装置は、撮影された識別部を画像解析することで、撮影方向を特定できる。携帯端末が撮影方向を特定するための特別な装置（電子コンパスなど）を備えていない場合であっても、情報提供装置は、容易に撮影方向を特定できる。
【００１４】
また、第一態様において、前記携帯端末から送信される前記個人情報を受信する第二受信手段を備え、前記位置抽出手段は、前記記憶手段に記憶された情報を参照し、前記第二受信手段において受信された前記個人情報に関連付けられた前記位置情報を、前記携帯端末を携帯するユーザの前記位置情報として抽出してもよい。これによって情報提供装置は、携帯端末に予め登録されている個人情報（氏名、電話番号など）を受信し、受信した個人情報に対応する位置情報を、携帯端末の位置情報として特定できる。情報提供装置は、携帯端末を携帯するユーザの個人情報に基づいて位置情報を記憶手段から抽出できるので、携帯端末の位置情報を確実に特定できる。
【００１５】
本発明の第二態様に係る携帯端末は、前記情報提供装置から送信される前記位置情報及び前記個人情報を受信する情報受信手段と、像を撮影可能な撮影手段である前記第一撮影手段と、前記第一撮影手段によって撮影された撮影画像のうち、前記情報受信手段によって受信された前記位置情報に相当する部分を特定する部分特定手段と、前記部分特定手段において特定された部分に、前記情報受信手段によって受信された前記個人情報を重ね、表示手段に表示する表示制御手段とを備えている。
【００１６】
本発明の第二態様によれば、携帯端末は、情報提供装置から位置情報及び個人情報を受信する。携帯端末は、第一撮影手段によって撮影された撮影画像のうち、位置情報に対応する部分に個人情報を重ねて表示する。個人情報が重ねられた部分には、個人情報を入力した他ユーザの画像が位置している。ユーザは、撮影画像中の他ユーザの画像と個人情報とを対応付けて容易に認識できる。情報提供装置から取得する位置情報は、逐次最新の情報に更新されているので、携帯端末は、情報を付加する対象物が移動する場合であっても、情報を正確に対象物に対応付けて表示し、ユーザに認識させることができる。
【００１７】
また、第二態様において、前記位置情報及び前記個人情報の送信を要求する要求パケットを、前記情報提供装置に対して送信する要求送信手段を備え、前記情報受信手段は、前記要求パケットに応じて前記情報提供装置から送信される前記個人情報及び前記位置情報を受信してもよい。これによって携帯端末は、自身が表示手段に撮影画像を表示するタイミングで、情報提供装置から位置情報及び個人情報を取得できる。携帯端末は、個人情報を重ねた撮影画像を確実に作成し、表示手段に表示できる。携帯端末は、最新の位置情報に基づいて、個人情報の表示位置を特定できる。
【００１８】
本発明の第三態様に係る情報提供システムは、携帯端末、及び、前記携帯端末に情報を提供する情報提供装置を備えた情報提供システムであって、前記情報提供装置は、入力手段によって入力されたユーザの個人情報を取得する情報取得手段と、前記情報取得手段によって取得された前記個人情報に対応するユーザの位置を示す位置情報を取得する位置取得手段と、前記情報取得手段によって取得された前記個人情報、及び、前記位置取得手段において取得された前記位置情報を、前記ユーザ毎に関連付けて記憶手段に記憶する記憶制御手段と、前記ユーザの携帯する携帯端末が備える撮影手段である第一撮影手段によって撮影可能な撮影方向を取得する方向取得手段と、前記記憶手段に記憶された情報を参照し、前記携帯端末を携帯する前記ユーザの前記位置情報を抽出する位置抽出手段と、前記位置抽出手段において抽出された前記位置情報と、前記方向取得手段において取得された前記撮影方向とに基づいて、前記携帯端末の前記第一撮影手段によって撮影可能な領域を特定する領域特定手段と、前記領域特定手段において特定された撮影可能な領域内に含まれる前記位置情報を、前記記憶手段に記憶された前記位置情報に基づいて選択する位置選択定手段と、前記位置選択手段において選択された前記位置情報に関連付けられた前記個人情報を特定する情報特定手段と、前記位置選択手段において選択された前記位置情報、及び、前記情報特定手段によって特定された前記個人情報を、前記携帯端末に対して送信する情報送信手段とを備え、前記携帯端末は、前記情報提供装置から送信される前記位置情報及び前記個人情報を受信する情報受信手段と、像を撮影可能な撮影手段である前記第一撮影手段と、前記第一撮影手段によって撮影された撮影画像のうち、前記情報受信手段によって受信された前記位置情報に相当する部分を特定する部分特定手段と、前記部分特定手段において特定された部分に、前記情報受信手段によって受信された前記個人情報を重ね、表示手段に表示する表示制御手段とを備えている。
【００１９】
本発明の第三態様によれば、情報提供装置は、携帯端末の第一撮影手段によって撮影可能な領域を特定する。情報提供装置は、撮影可能な領域内に他のユーザ（他ユーザ）が存在するか判断する。領域内に他ユーザが存在する場合、該当する他ユーザの個人情報及び位置情報を携帯端末に対して送信する。携帯端末は、撮影画像のうち位置情報に相当する部位に、個人情報を対応付けて表示する。これによって、携帯端末のユーザに対して、個人情報と他ユーザとを対応付けて認識させることができる。記憶手段に記憶される位置情報は、位置取得手段によって取得され更新されるので、情報提供装置は、情報を付加する対象物が移動する場合であっても、正確な位置情報を関連情報（個人情報）とともに携帯端末に対して送信し、これらを関連付けてユーザに提供できる。
【００２０】
本発明の第四態様に係る情報提供方法は、入力手段によって入力されたユーザの個人情報を取得する情報取得ステップと、前記情報取得ステップによって取得された前記個人情報に対応するユーザの位置を示す位置情報を取得する位置取得ステップと、前記情報取得ステップによって取得された前記個人情報、及び、前記位置取得ステップにおいて取得された前記位置情報を、前記ユーザ毎に関連付けて記憶手段に記憶する記憶制御ステップと、前記ユーザの携帯する携帯端末が備える撮影手段である第一撮影手段によって撮影可能な撮影方向を取得する方向取得ステップと、前記記憶手段に記憶された情報を参照し、前記携帯端末を携帯する前記ユーザの前記位置情報を抽出する位置抽出ステップと、前記位置抽出ステップにおいて抽出された前記位置情報と、前記方向取得ステップにおいて取得された前記撮影方向とに基づいて、前記携帯端末の前記第一撮影手段によって撮影可能な領域を特定する領域特定ステップと、前記領域特定ステップにおいて特定された撮影可能な領域内に含まれる前記位置情報を、前記記憶手段に記憶された前記位置情報に基づいて選択する位置選択ステップと、前記位置選択ステップにおいて選択された前記位置情報に関連付けられた前記個人情報を特定する情報特定ステップと、前記位置選択ステップにおいて選択された前記位置情報、及び、前記情報特定ステップによって特定された前記個人情報を、前記携帯端末に対して送信する情報送信ステップとを備えている。
【００２１】
本発明の第四態様によれば、情報提供装置は、携帯端末の第一撮影手段によって撮影可能な領域を特定する。情報提供装置は、撮影可能な領域内に他のユーザ（他ユーザ）が存在するか判断する。領域内に他ユーザが存在する場合、該当する他ユーザの個人情報及び位置情報を携帯端末に対して送信する。携帯端末は、撮影画像のうち位置情報に相当する部位に、個人情報を対応付けて表示する。これによって、携帯端末のユーザに対して、個人情報と他ユーザとを対応付けて認識させることができる。記憶手段に記憶される位置情報は、位置取得手段によって取得され更新されるので、情報提供装置は、情報を付加する対象物が移動する場合であっても、正確な位置情報を関連情報（個人情報）とともに携帯端末に対して送信し、これらを関連付けてユーザに提供できる。
【００２２】
本発明の第五態様に係る情報提供プログラムは、前記情報提供装置の各処理手段としてコンピュータを機能させることができる。
【図面の簡単な説明】
【００２３】
【図１】情報提供システム１の概要を示す模式図である。
【図２】携帯端末３の表示部２７に表示される表示画像の一例を示す図である。
【図３】サーバ５の電気的構成を示すブロック図である。
【図４】ユーザテーブル１５１を示す図である。
【図５】携帯端末３の電気的構成を示すブロック図である。
【図６】携帯端末３、受付装置４、サーバ５、及びカメラ６において実行される処理の概要を示すフローチャートである。
【図７】カメラ６において撮影される撮影画像１８の一例を示す図である。
【図８】入力処理を示すフローチャートである。
【図９】位置特定処理を示すフローチャートである。
【図１０】送信処理を示すフローチャートである。
【図１１】表示処理を示すフローチャートである。
【図１２】携帯端末３の外観を示す図である。
【発明を実施するための形態】
【００２４】
以下、本発明の一実施形態における情報提供システム１について、図面を参照して説明する。これらの図面は、本発明が採用しうる技術的特徴を説明するために用いられるものである。記載されている装置の構成、各種処理のフローチャートなどは、それのみに限定する趣旨ではなく、単なる説明例である。
【００２５】
図１を参照し、情報提供システム１の概要について説明する。情報提供システム１は、携帯端末３、受付装置４、サーバ５、及びカメラ６を備えている。受付装置４、サーバ５、及びカメラ６は、ネットワーク７に接続している。携帯端末３は、公衆電話網を介してネットワーク７に接続している。携帯端末３はユーザ２によって携帯される。携帯端末３は、表示部２７及びカメラ２８（図５参照）を備えている。表示部２７は、携帯端末３の正面側に設けられている。カメラ２８は、携帯端末３の背面側に設けられている。携帯端末３は、カメラ２８によって撮影された撮影画像を表示部２７に表示できる。サーバ５は、携帯端末３の表示部２７に表示された撮影画像にユーザ２が含まれている場合、該ユーザの個人情報を携帯端末３に対して送信できる。携帯端末３は、カメラ２８によって撮影された撮影画像のうちユーザに相当する部分に、サーバ５から受信した個人情報を重ねて表示できる。受付装置４には、ユーザ２によって個人情報が入力される。カメラ６は、ユーザ２を頭上から撮影する。
【００２６】
図２を参照し、携帯端末３の表示部２７に表示される表示画像の一例について説明する。表示画像は、カメラ２８によって撮影された撮影画像８に、個人情報が示された個人情報画像１０を重ねた態様を有している。撮影画像８には、携帯端末３を携帯するユーザの画像（以下「ユーザ画像」という。）９が含まれている。個人情報画像１０は、個人情報（氏名、所属、年齢）と、個人情報を囲む枠部とを備えている。個人情報画像１０は、ユーザ画像９に重ねて表示されている。表示画像を視認する携帯端末３のユーザは、ユーザ画像９と個人情報画像１０とを容易に対応付けて認識できるので、各ユーザの個人情報を簡単に知ることができる。また、撮影画像８内をユーザ画像９が移動した場合（矢印３１）、ユーザ画像９に重ねて表示されている個人情報画像１０も、ユーザ画像９の移動に追従して移動する（矢印３２）。従って携帯端末３のユーザ２は、ユーザ画像が移動した後でも、各ユーザの個人情報を継続して認識できる。
【００２７】
なお、ユーザ画像に対応付けられる情報は、個人情報に限定ず、他の情報であってもよい。また、情報が対象づけられる対象物はユーザに限定されず、他の対象物であってもよい。
【００２８】
図３を参照し、サーバ５の電気的構成について説明する。サーバ５は、ＣＰＵ１１、通信部１２、ＲＯＭ１３、ＲＡＭ１４、及びハードディスクドライブ（ＨＤＤ）１５を備えている。ＣＰＵ１１は、サーバ５全体の動作を制御する。ＲＯＭ１３には、ブートプログラムやＢＩＯＳが記憶される。ＲＡＭ１４には、プログラムで使用される各種の情報が一時的に記憶される。ＨＤＤ１５には、ＯＳやＣＰＵ１１のプログラムが記憶される。またＨＤＤ１５には、後述するユーザテーブル１５１が記憶される。通信部１２は、ネットワーク７を介して通信を行う場合の同期制御を行う。ＣＰＵ１１は、通信部１２、ＲＯＭ１３、ＲＡＭ１４、及びＨＤＤ１５と電気的に接続している。
【００２９】
図４を参照し、サーバ５のＨＤＤ１５に記憶されるユーザテーブルの一例である、ユーザテーブル１５１について説明する。ユーザテーブル１５１には、位置情報及び個人情報が、各ユーザを特定するＩＤに対応付けて格納されている。位置情報は、カメラ６の撮影画像中におけるユーザ画像の位置を、座標（ｘ，ｙ）にて示している。位置情報は、カメラ６によって撮影された撮影画像に基づいて特定され、ユーザテーブル１５１に格納される。個人情報は、「氏名」「所属」「年齢」及び「住所」を含んでいる。個人情報には、受付装置４から受信した個人情報が格納される。
【００３０】
図５を参照し、携帯端末３の電気的構成について説明する。携帯端末３は、ＣＰＵ２１、ＲＯＭ２２、ＲＡＭ２３、フラッシュメモリ２４、通信部２５、入力部２６、表示部２７、カメラ２８、及び電子コンパス２９を備えている。ＣＰＵ２１は、携帯端末３全体の動作を制御する。ＲＯＭ２２には、ブートプログラムやＢＩＯＳ、ＣＰＵ２１のプログラムが記憶される。ＲＡＭ２３には、プログラムで使用される各種の情報が一時的に記憶される。フラッシュメモリ２４には、予めユーザによって登録された個人情報や、カメラ２８によって撮影された撮影画像が記憶される。通信部２５は、ネットワーク７を介して通信を行う場合の同期制御を行う。入力部２６は、ユーザからの入力を受け付けるボタンやタッチセンサである。表示部２７は、撮影画像が少なくとも表示されるＬＣＤ（Liquid Crystal Display）である。カメラ２８は、像の撮影が可能なＣＣＤカメラである。電子コンパス２９は、地磁気センサを備えており、携帯端末３の方位を検出できる。ＣＰＵ２１は、ＲＯＭ２２、ＲＡＭ２３、フラッシュメモリ２４、通信部２５、入力部２６、表示部２７、カメラ２８、及び電子コンパス２９と電気的に接続している。
【００３１】
図６を参照し、携帯端末３、受付装置４、サーバ５、及びカメラ６において実行される処理の概要について説明する。はじめに、携帯端末３を携帯するユーザは、受付装置４を介して自身の個人情報を入力する（Ｓ１）。受付装置４は、入力された個人情報をサーバ５に送信する（Ｓ２）。サーバ５は、受付装置４から送信された個人情報を受信する（Ｓ５）。カメラ６は、個人情報を入力したユーザを含む所定の領域を撮影する（Ｓ３）。カメラ６は、撮影された撮影画像をサーバ５に送信する（Ｓ４）。カメラ６は、一定周期で繰り返し撮影画像をサーバ５に対して送信する。サーバ５は、カメラ６から送信された撮影画像を受信する（Ｓ６）。
【００３２】
図７は、カメラ６によって撮影された撮影映像の一例である撮影画像１８を示している。複数のユーザ２（２ａ〜２ｄ）が、撮影画像１８に含まれている。受付装置４の正面に、ユーザ２ｄが位置している。サーバ５は、受信した撮影画像１８のうち、個人情報を受付装置４から受信した時点で受付装置４の近傍の所定領域１７内に位置するユーザ２ｄを、受付装置４を介して個人情報を入力したユーザとして特定する。サーバ５は、撮影画像１８を画像解析することによって、所定領域１７内に位置するユーザ画像を特定する。撮影画像からユーザ画像を特定する方法としては、従来周知のパターン認識が使用できる。サーバ５は、特定したユーザ画像の位置情報（ｘ，ｙ）を、ユーザ２ｄの位置情報として特定する。サーバ５は、受付装置４から受信した個人情報と、特定されたユーザ２ｄの位置情報とを対応付け、ユーザテーブル１５１（図４参照）に格納する。以上の処理が繰り返されることによって、受付装置４を介して個人情報を入力した全てのユーザ（２ａ〜２ｄ）の位置情報と個人情報は、ユーザテーブル１５１に格納される。
【００３３】
カメラ６は、撮影画像をサーバ５に対して周期的に送信する。サーバ５は、カメラ６から送信される撮影画像を周期的に受信する。サーバ５は、前回受信した撮影画像に含まれるユーザ画像と同一のユーザ画像を、今回受信した撮影画像の中から抽出する。これによってサーバ５は、ユーザの位置を追跡する。ユーザの位置を追跡する方法として、例えば特許文献２に記載された方法が使用可能である。サーバ５は、ユーザの位置情報を周期的に特定する。ユーザテーブル１５１に格納した位置情報は、周期的に特定される位置情報によって更新される。
【００３４】
【特許文献２】特開２００９−５５１３９号公報
【００３５】
図６に示すように、サーバ５から個人情報を取得して表示部２７に表示することを望む携帯端末３は、ユーザによって予め登録されている個人情報を、サーバ５に対して送信する。また携帯端末３は、電子コンパス２９によって検出される携帯端末３の方向の情報であって、携帯端末３が備えるカメラ２８が撮影可能な方向の情報（以下「撮影方向」という。）を、サーバ５に対して送信する（Ｓ１０）。サーバ５は、携帯端末３から送信された個人情報及び撮影方向を受信する（Ｓ７）。サーバ５は、ユーザテーブル１５１を参照し、以下の処理を行うことによって、携帯端末３に対して送信する位置情報及び個人情報をユーザテーブル１５１から選択する（Ｓ８）。
【００３６】
例えば図７のうち、携帯端末３ａがサーバ５に対して個人情報及び撮影方向を送信し、サーバ５がこれらを受信したとする。サーバ５は、ユーザテーブル１５１のうち、携帯端末３から受信した個人情報と同一の個人情報に対応付けられている位置情報を選択する。サーバ５は、選択した位置情報を、携帯端末３ａの位置情報として特定する（特定された位置情報を（ｓ，ｔ）とする。）。次いでサーバ５は、携帯端末３ａのカメラ２８によって撮影可能な領域（以下「撮影可能領域」という。）１６を特定する。撮影可能領域１６は、携帯端末３ａの位置情報（ｓ，ｔ）、携帯端末３ａから受信した撮影方向（矢印３３）、及び、位置情報（ｓ，ｔ）からの距離Ｕに基づいて特定される。撮影方向に対する角度が所定角θ（°）の範囲内であり、且つ（ｓ，ｔ）からの距離が所定距離Ｕ（ｍ）の範囲内の領域が、撮影可能領域１６として特定される。
【００３７】
なお上述のパラメータ（θ、Ｕ）は、予めサーバ５のＨＤＤ１５に記憶されていてもよいし、ユーザが携帯端末３を介して入力できるようにしてもよい。携帯端末３は、個人情報及び撮影方向をサーバ５に送信する場合に、入力されたパラメータをサーバ５に対して送信してもよい。サーバ５は、携帯端末３から受信したパラメータに基づいて、撮影可能領域を特定してもよい。
【００３８】
続いて、ユーザテーブル１５１に格納された位置情報のうち、撮影可能領域１６内に相当する位置情報が選択される。図７では、ユーザ２ｂ，２ｃ，２ｄが撮影可能領域１６内に位置しているので、ユーザ２ｂ，２ｃ，２ｄの位置情報が選択されることになる。続いてサーバ５は、ユーザテーブル１５１に基づいて、選択された位置情報の其々に対応付けられている個人情報を特定する。特定された個人情報は、ユーザ２ｂ，２ｃ，２ｄの個人情報に該当する。
【００３９】
図６に示すように、上述のようにして選択された位置情報及び個人情報は、携帯端末３に送信される（Ｓ９）。携帯端末３は、位置情報及び個人情報を受信する（Ｓ１１）。携帯端末３は、カメラ２８によって撮影された撮影画像（例えば撮影画像８、図２参照）のうち、サーバ５から受信した位置情報に対応する位置を特定する。撮影画像のうち特定された位置には、ユーザ２ｂ，２ｃ，２ｄのユーザ画像が位置している。特定した位置に、受信した個人情報を示す個人情報画像が重ねて表示される（Ｓ１２）。このように携帯端末３は、表示画像に含まれているユーザ画像に個人情報画像を対応付けて表示できる。
【００４０】
例えば図７に示す例では、ユーザ２ｂ，２ｃ，２ｄの位置情報及び個人情報が、サーバ５から携帯端末３ａに対して送信される。携帯端末３ａは、表示部２７に表示された撮影画像のうち、受信した位置情報に相当する位置に、受信した個人情報を重ねて表示する。ユーザ２ｂの個人情報画像は、ユーザ２ｂのユーザ画像に重ねて表示される。ユーザ２ｃの個人情報画像は、ユーザ２ｃのユーザ画像に重ねて表示される。ユーザ２ｄの個人情報画像は、ユーザ２ｄのユーザ画像に重ねて表示される。これによって、図２に示す表示画像が表示部２７に表示される。
【００４１】
なお、携帯端末３は、所定の周期で繰り返しサーバ５に対して個人情報及び撮影方向を送信する（Ｓ１０、図６参照）。サーバ５は、個人情報及び撮影方向を携帯端末３から受信する（Ｓ７、図６参照）。サーバ５は、周期的にカメラ６から撮影画像を取得して位置情報を更新しているので、ユーザテーブル１５１には、携帯端末３の最新の位置情報が記憶されている。サーバ５は、位置情報が更新された最新の位置情報に基づいて、携帯端末３に対して送信する位置情報及び個人情報をユーザテーブル１５１から再抽出できる（Ｓ８、図６参照）。携帯端末３は、最新の位置情報に基づいて再抽出された位置情報及び個人情報をサーバ５から受信し（Ｓ１１、図６参照）、表示部２７に表示できる（Ｓ１２、図６参照）。このように携帯端末３は、ユーザが移動してユーザ画像が撮影画像内を移動した場合であっても、移動後のユーザ画像に個人情報画像を対応付けることができる。携帯端末３を視認するユーザは、ユーザ画像と個人情報画像とを容易に対応付けて認識できる。
【００４２】
図８から図１０を参照し、サーバ５のＣＰＵ１１において実行される処理（入力処理、位置特定処理、送信処理）について説明する。サーバ５の電源が投入された場合に、各処理は起動され実行される。各処理は、ＯＳによって適宜スイッチングされる。
【００４３】
図８を参照し、入力処理について説明する。受付装置４から送信される信号を監視することで、ユーザが受付装置４を介して個人情報の入力を開始したかが判断される（Ｓ２１）。受付装置４は、ユーザが個人情報の入力を開始した場合、サーバ５に対して開始通知信号を送信する。サーバ５において開始通知信号が受信されていない場合、受付装置４への個人情報の入力は開始していないので（Ｓ２１：ＮＯ）、処理はＳ２１に戻る。受付装置４から送信される開始通知信号の受信が継続して監視される。受付装置４から送信される開始通知信号を受信した場合（Ｓ２１：ＹＥＳ）、受付装置４を介して個人情報の入力が開始されたことになる。カメラ６の状態が監視される（Ｓ２３）。カメラ６が起動していない場合（Ｓ２３：ＮＯ）、カメラ６を起動し、撮影を開始させる（Ｓ２５）。処理は、Ｓ２７に進む。カメラ６が既に起動している場合（Ｓ２３：ＹＥＳ）、処理はＳ２７に進む。このようにサーバ５は、個人情報の入力が開始された時点でカメラ６の撮影を開始できるので、撮影画像が必要な場合に確実に撮影画像をカメラ６から取得できる。
【００４４】
Ｓ２７では、カメラ６から周期的に送信される撮影画像が受信される（Ｓ２７）。受信された撮影画像が解析される。撮影画像のうち、受付装置４近傍の所定領域内に、ユーザ画像が含まれているかが判断される（Ｓ２９）。受付装置４近傍の所定領域内にユーザ画像が含まれていない場合（Ｓ２９：ＮＯ）、受付装置４に対して個人情報の入力を中止させるための中止通知信号が送信される（Ｓ３３）。受付装置４では、個人情報の入力処理が中止される。処理はＳ２１に戻る。一方、撮影画像のうち、受付装置４近傍の所定領域内にユーザ画像が含まれている場合（Ｓ２９：ＹＥＳ）、ユーザ画像が所定時間継続して所定領域内に含まれているかが判断される（Ｓ３１）。所定時間の経過前に、ユーザ画像が所定領域内からなくなってしまった場合（Ｓ３１：ＮＯ）、受付装置４に対して中止通知信号を送信し（Ｓ３３）、入力処理を中止させる。処理はＳ２１に戻る。
【００４５】
ユーザ画像が所定時間継続して所定領域内に含まれていた場合（Ｓ３１：ＹＥＳ）、受付装置４から送信される個人情報が受信される（Ｓ３５）。個人情報が受信された時点で所定領域内に位置するユーザ画像は、個人情報を入力したユーザのユーザ画像として特定される。これによってサーバ５は、個人情報を入力したユーザを確実に特定できる。特定されたユーザ画像の位置情報が特定される（Ｓ３７）。ユーザを特定するＩＤが割り当てられる。ＩＤ、位置情報、及び位置情報が対応付けられ、ユーザテーブル１５１に格納される（Ｓ３９）。処理は、Ｓ２１に戻る。
【００４６】
図９を参照し、位置特定手段について説明する。入力処理（図８参照）において、ＩＤ、位置情報、及び個人情報がユーザテーブル１５１に格納されたかが判断される（Ｓ４１）。ＩＤ、位置情報、及び個人情報がユーザテーブル１５１に格納されていない場合（Ｓ４１：ＮＯ）、処理はＳ４１に戻る。個人情報がユーザテーブル１５１に格納された場合（Ｓ４１：ＹＥＳ）、カメラ６から周期的に送信される撮影画像が受信される（Ｓ４３）。撮影画像内に含まれているユーザ画像を特定し、その位置情報を特定する処理が、ユーザテーブル１５１に格納されているＩＤ毎に実行される（Ｓ４５）。ユーザ画像が特定され、且つ位置情報が特定された場合（Ｓ４７：ＹＥＳ）、ユーザテーブル１５１に格納されている位置情報は、特定された位置情報によって上書きされる（Ｓ４９）。処理はＳ５１に進む。一方、ユーザ画像又は位置情報が特定できなかった場合（Ｓ４７：ＮＯ）、そのまま処理はＳ５１に進む。
【００４７】
Ｓ５１では、ユーザ画像及び位置情報の特定が試みられていないＩＤが、ユーザテーブル１５１内に残っているかが判断される（Ｓ５１）。位置情報の特定が試みられていない情報が残っている場合（Ｓ５１：ＹＥＳ）、処理はＳ４７に戻る。未処理のＩＤがユーザテーブル１５１から選択され、選択されたＩＤに対応するユーザのユーザ画像及びその位置情報の特定が試みられる（Ｓ４７、Ｓ４９）。ユーザテーブル１５１に格納された全てのＩＤに対して、ユーザ画像及び位置情報を特定する処理が実行された場合（Ｓ５１：ＮＯ）、所定時間待機される（Ｓ５３）。所定時間は、カメラ６が撮影画像を送信する周期と略同一とされる。所定時間待機後、処理はＳ４１に戻る。これによって、周期的に撮影画像をカメラ６から受信してユーザ画像の位置情報を更新する処理が繰り返し実行される。このようにサーバ５は、周期的に繰り返しユーザ画像の位置情報を特定してユーザテーブル１５１に記憶するので、ユーザ画像が撮影画像内を移動した場合であっても、ユーザ画像の位置情報を最新の情報に更新できる。
【００４８】
図１０を参照し、送信処理について説明する。携帯端末３から送信される個人情報及び撮影方向を受信したかが判断される（Ｓ６１）。個人情報及び撮影方向を受信していない場合（Ｓ６１：ＮＯ）、処理はＳ６１に戻る。個人情報及び撮影方向を受信した場合（Ｓ６１：ＹＥＳ）、受信した個人情報が取得される（Ｓ６３）。受信した撮影方向が取得される（Ｓ６５）。ユーザテーブル１５１に格納されている個人情報が検索され、取得された個人情報と同一の個人情報が格納されているかが判断される（Ｓ６７）。なお、同一の個人情報が格納されているか否かの判断は、複数ある個人情報のうち特定の情報（例えば氏名）のみが一致するかを判断してもよいし、複数ある個人情報の全てが一致するかを判断してもよい。受信した個人情報と同一の個人情報がユーザテーブル１５１に格納されていない場合（Ｓ６９：ＮＯ）、処理はＳ６１に戻る。
【００４９】
受信した個人情報と同一の個人情報がユーザテーブル１５１に格納されている場合（Ｓ６９：ＹＥＳ）、該当する個人情報に対応付けられている位置情報が選択される（Ｓ７１）。選択された位置情報と、取得された撮影方向とに基づいて、個人情報及び撮影方向を送信した携帯端末３の撮影可能領域が特定される（Ｓ７３）。特定された撮影可能領域内に含まれる位置情報が、ユーザテーブル１５１から選択される（Ｓ７５）。選択された位置情報に対応する個人情報が、ユーザテーブル１５１から特定される（Ｓ７７）。Ｓ７１で選択された位置情報、及び、Ｓ７７で特定された個人情報は、個人情報及び撮影方向を送信した携帯端末３に対して送信される（Ｓ７９）。処理はＳ６１に戻る。
【００５０】
図１１を参照し、携帯端末３のＣＰＵ２１において実行される表示処理について説明する。表示処理は、個人情報を撮影画像に重ねて表示するためのアプリケーションが起動された場合に、ＣＰＵ２１において起動され実行される。
【００５１】
表示処理が起動されると、カメラ２８による撮影が開始される（Ｓ８１）。予めフラッシュメモリ２４に記憶された個人情報が読み出される。個人情報として、サーバ５のユーザテーブル１５１に記憶された複数の個人情報全てが記憶されていてもよいし、特定の個人情報のみ記憶されていてもよい。電子コンパス２９において検出される方位の情報に基づいて、撮影方向が取得される（Ｓ８２）。個人情報と撮影方向とが、サーバ５に対して送信される（Ｓ８３）。このように携帯端末３は、電子コンパス２９を使用することで、撮影方向を高い精度で特定できる。
【００５２】
送信された個人情報と撮影方向とに応じ、サーバ５から返信される位置情報及び個人情報の受信が監視される（Ｓ８５）。位置情報及び個人情報が受信されない場合（Ｓ８５：ＮＯ）、処理はＳ８５に戻る。位置情報及び個人情報が受信された場合（Ｓ８５：ＹＥＳ）、カメラ２８によって撮影された撮影画像のうち、受信された位置情報に相当する部分が特定される（Ｓ８７）。撮影画像のうち特定された部分には、ユーザ画像が位置している。特定された部分に、受信された個人情報を示す個人情報画像が重ねられる。これによって、撮影画像に個人情報画像が重ねられた表示画像が表示部２７に表示される（Ｓ８９）。これによって、ユーザ画像に個人情報画像が対応付けられる。
【００５３】
起動中のアプリケーションを終了させる指示が入力されたかが判断される（Ｓ９１）。アプリケーションを終了させる指示が入力された場合（Ｓ９１：ＹＥＳ）、表示処理は終了する。アプリケーションを終了させる指示が入力されていない場合（Ｓ９１：ＮＯ）、所定時間待機される（Ｓ９３）。所定時間の待機後、処理はＳ８２に戻る。撮影方向が新たに取得され（Ｓ８２）、個人情報及び撮影方向が繰り返しサーバ５に対して送信される。
【００５４】
以上説明したように、サーバ５は、携帯端末３の撮影可能領域を特定する。サーバ５は、撮影可能領域内に、他ユーザが存在するか判断する。他ユーザが撮影可能領域内に存在する場合、サーバ５は、該当する他ユーザの個人情報を位置情報と共に携帯端末３に対して送信する。携帯端末３は、撮影画像のうち受信した位置情報に該当する位置に、個人情報を重ねて表示する。これによってサーバ５は、移動する対象物（人など）の位置情報に情報（個人情報など）を対応付けて携帯端末３に提供できる。携帯端末３は、移動対象物と関連情報とを対応付けて表示できる。ユーザは、移動対象物と関連情報とを容易に対応付けて認識できる。
【００５５】
サーバ５は、カメラ６によって撮影された撮影画像を画像処理することで、携帯端末３を携帯するユーザの位置情報を特定できる。サーバ５は、ＧＰＳ等を使用することなく、簡易な方法で容易にユーザの位置情報を特定できる。
【００５６】
なお、本発明は上記実施形態に限定されるものではなく、種々の変更が可能である。上述では、サーバ５は、個人情報を受付装置４から受信した時点で所定領域内に位置するユーザ画像を、個人情報を入力したユーザのユーザ画像として特定した。本発明はこれに限定されない。例えばサーバ５は、所定時間以上継続して所定領域内に位置するユーザ画像を、個人情報を入力したユーザのユーザ画像として特定してもよい。これによって例えば、所定領域内を偶然通過した者のユーザ画像が、個人情報を入力したユーザのユーザ画像として特定されてしまうことを防止できる。
【００５７】
上述では、携帯端末３は、電子コンパス２９において検出される方位に基づいて決定された撮影方向をサーバ５に対して送信していた。サーバ５は、携帯端末３から送信される撮影方向を受信し、受信した撮影方向に基づいて、撮影可能領域を特定していた。本発明はこれに限定されない。撮影方向は、別の方法で特定されてもよい。例えば図１２に示すように、携帯端末３の側端面には、矢印状の識別部３５が付されていてもよい。サーバ５は、カメラ６によって撮影された撮影画像から、識別部３５を特定してもよい。サーバ５は、特定した識別部３５のうち矢印の向く方向を、撮影方向として特定してもよい。これによって、携帯端末３が電子コンパス２９を備えていない場合であっても、サーバ５は容易に撮影方向を特定できる。
【００５８】
上述では、サーバ５は、携帯端末３から個人情報を受信し、受信した個人情報と同一の個人情報をユーザテーブル１５１から選択することによって、個人情報を送信した携帯端末３の位置情報を特定していた。本発明はこれに限定されない。携帯端末３は、ＩＤをサーバ５に対して送信してもよい。サーバ５は、受信したＩＤと同一ＩＤに対応付けられた位置情報をユーザテーブル１５１から選択することによって、携帯端末３の位置情報を特定してもよい。
【００５９】
上述では、受付装置４を介して入力された個人情報がユーザテーブル１５１に格納された。本発明はこれに限定されない。サーバ５は、携帯端末３から受信した個人情報をユーザテーブル１５１に格納してもよい。
【００６０】
上述では、携帯端末３はサーバ５に対して周期的に個人情報及び撮影方向を送信することで、サーバ５から位置情報及び個人情報を受信していた。本発明はこれに限定されない。サーバ５は、ユーザテーブル１５１に記憶された位置情報のうちいずれかが更新された場合に、携帯端末３に位置情報及び個人情報を送信してもよい。これによって携帯端末３は、サーバ５に対して個人情報及び撮影方向を繰り返し送信することなく、サーバ５から最新の位置情報及び個人情報を受信できる。また携帯端末３は、移動に伴って撮影方向が変化した場合にのみ、撮影方向をサーバ５に対して送信してもよい。
【００６１】
上述では、カメラ６は周期的に撮影画像をサーバ５に対して送信していたが、本発明はこれに限定されない。例えば以下の手順でカメラ６は撮影画像をサーバ５に対して送信してもよい。携帯端末３は、自身が移動した場合に、サーバ５に対して通知信号を送信する。サーバ５は、携帯端末３から通知信号を受信した場合に、カメラ６に対して撮影を指示する。カメラ６は、サーバ５から指示があった場合に、撮影画像を撮影してサーバ５に対して送信する。サーバ５は、受信された撮影画像に基づいて、ユーザの位置情報を特定する。これによってサーバ５は、ユーザが移動した場合にのみ撮影画像を取得してユーザの位置情報を特定できるので、サーバ５の処理負荷を軽減できる。なお、携帯端３の移動時には、サーバ５は撮影画像を取得してユーザの位置情報を特定できるので、サーバ５は最新の位置情報を確実にユーザテーブル１５１に格納できる。
【００６２】
なお、図８のＳ３５の処理を行うＣＰＵ１１が本発明の「情報取得手段」に相当する。図８のＳ３７、図９のＳ４５の処理を行うＣＰＵ１１が本発明の「位置取得手段」に相当する。図８のＳ３９、図９のＳ４９の処理を行うＣＰＵ１１が本発明の「記憶制御手段」に相当する。図１０のＳ６５の処理を行うＣＰＵ１１が本発明の「方向取得手段」に相当し、Ｓ７１の処理を行うＣＰＵ１１が本発明の「位置抽出手段」に相当し、Ｓ７３の処理を行うＣＰＵ１１が本発明の「領域特定手段」に相当し、Ｓ７５の処理を行うＣＰＵ１１が本発明の「位置選択手段」に相当し、Ｓ７７の処理を行うＣＰＵ１１が本発明の「情報特定手段」に相当し、Ｓ７９の処理を行うＣＰＵ１１が本発明の「情報送信手段」に相当する。図８のＳ２７、図９のＳ４３の処理を行うＣＰＵ１１が本発明の「画像取得手段」に相当する。図１０のＳ６１の処理を行うＣＰＵ１１が本発明の「第一受信手段」「第二受信手段」に相当する。図１１のＳ８５の処理を行うＣＰＵ２１が本発明の「情報受信手段」に相当し、Ｓ８７の処理を行うＣＰＵ２１が本発明の「部分特定手段」に相当し、Ｓ８９の処理を行うＣＰＵ２１が本発明の「表示制御手段」に相当し、図１１のＳ８３の処理を行うＣＰＵ２１が本発明の「要求送信手段」に相当する。ユーザテーブル１５１を記憶する図３のＨＤＤ１５が本発明の「記憶手段」に相当する。図５のカメラ２８が本発明の「第一撮影手段」に相当する。図１のカメラ６が本発明の「第二撮影手段」に相当する。
【００６３】
図８のＳ３５の処理が本発明の「情報取得手段」に相当する。図８のＳ３７、図９のＳ４５の処理が本発明の「位置取得手段」に相当する。図８のＳ３９、図９のＳ４９の処理が本発明の「記憶制御手段」に相当する。図１０のＳ６５の処理が本発明の「方向取得手段」に相当し、Ｓ７１の処理が本発明の「位置抽出手段」に相当し、Ｓ７３の処理が本発明の「領域特定手段」に相当し、Ｓ７５の処理が本発明の「位置選択手段」に相当し、Ｓ７７の処理が本発明の「情報特定手段」に相当し、Ｓ７９の処理が本発明の「情報送信手段」に相当する。
【符号の説明】
【００６４】
１      情報提供システム
３      携帯端末
４      受付装置
５      サーバ
６      カメラ
１１，２１  ＣＰＵ
１５    ＨＤＤ
１６    撮影可能領域
１７    所定領域
２４    フラッシュメモリ
２６    電子コンパス
２７    表示部
２８    カメラ
２９    電子コンパス
１５１  ユーザテーブル
【図１】
2011199800.tif 000003
【図２】
2011199800.tif 000004
【図３】
2011199800.tif 000005
【図４】
2011199800.tif 000006
【図５】
2011199800.tif 000007
【図６】
2011199800.tif 000008
【図７】
2011199800.tif 000009
【図８】
2011199800.tif 000010
【図９】
2011199800.tif 000011
【図１０】
2011199800.tif 000012
【図１１】
2011199800.tif 000013
【図１２】
2011199800.tif 000014